(57)【特許請求の範囲】
【請求項１】
放電灯を点灯させる装置であって、
平滑コンデンサを有し交流電力を直流に変換する直流電源回路と、
前記直流電源回路の出力を交流に変換して交流電力を供給するインバータと、
前記インバータの出力端に接続された共振回路と、
前記インバータの動作を制御して前記放電灯の調光率を調節する制御部と、
を備え、
前記制御部は、
前記調光率を調節する際には、
前記インバータを、
前記共振回路の共振周波数と略一致する第１周波数で駆動する第１周波数期間と、
前記第１周波数よりも高い周波数で駆動する第２周波数期間と、
で交互に切り替えながら駆動し、
かつ、
前記第２周波数期間において、
前記インバータの駆動周波数を、
前記第１周波数よりも高い第２周波数と、
前記第２周波数から前記制御部の周波数分解能と同じ周波数だけ異なる第３周波数と、
で切り替えながら前記インバータを駆動し、
前記第２周波数期間において前記インバータを前記第３周波数で駆動している期間を漸増させることにより、
前記第２周波数期間における前記インバータの平均駆動周波数を前記第２周波数から前記第３周波数に向けて漸増させる
ことを特徴とする放電灯点灯装置。
【請求項２】
放電灯を点灯させる装置であって、
平滑コンデンサを有し交流電力を直流に変換する直流電源回路と、
前記直流電源回路の出力を交流に変換して交流電力を供給するインバータと、
前記インバータの出力端に接続された共振回路と、
前記インバータの動作を制御して前記放電灯の調光率を調節する制御部と、
を備え、
前記制御部は、
前記調光率を調節する際には、
前記インバータを、
前記共振回路の共振周波数と略一致する第１周波数で駆動する第１周波数期間と、
前記第１周波数よりも高い周波数で駆動する第２周波数期間と、
で交互に切り替えながら駆動し、
かつ、
前記第２周波数期間において、
前記インバータの駆動周波数を、
前記第１周波数よりも高い第２周波数と、
前記第２周波数から前記制御部の周波数分解能と同じ周波数だけ異なる第３周波数と、
で切り替えながら前記インバータを駆動し、
前記第２周波数期間に所定回数到達する毎に、前記第２周波数期間において前記インバータを前記第３周波数で駆動している期間の割合を５０％ずつ増加させることにより、
前記第２周波数期間における前記インバータの平均駆動周波数を前記第２周波数から前記第３周波数に向けて２段階で漸増させる
ことを特徴とする放電灯点灯装置。
【請求項３】
放電灯を点灯させる装置であって、
平滑コンデンサを有し交流電力を直流に変換する直流電源回路と、
前記直流電源回路の出力を交流に変換して交流電力を供給するインバータと、
前記インバータの出力端に接続された共振回路と、
前記インバータの動作を制御して前記放電灯の調光率を調節する制御部と、
を備え、
前記制御部は、
前記調光率を調節する際には、
前記インバータを、
前記共振回路の共振周波数と略一致する第１周波数で駆動する第１周波数期間と、
前記第１周波数よりも高い周波数で駆動する第２周波数期間と、
で交互に切り替えながら駆動し、
かつ、
前記第２周波数期間において、
前記インバータの駆動周波数を、
前記第１周波数よりも高い第２周波数と、
前記第２周波数から前記制御部の周波数分解能と同じ周波数だけ異なる第３周波数と、
で切り替えながら前記インバータを駆動し、
前記第２周波数期間に所定回数到達する毎に、前記第２周波数期間において前記インバータを前記第３周波数で駆動している期間を漸増させることにより、
前記第２周波数期間における前記インバータの平均駆動周波数を前記第２周波数から前記第３周波数に向けて漸増させる
ことを特徴とする放電灯点灯装置。
【請求項４】
放電灯を点灯させる装置であって、
平滑コンデンサを有し交流電力を直流に変換する直流電源回路と、
前記直流電源回路の出力を交流に変換して交流電力を供給するインバータと、
前記インバータの出力端に接続された共振回路と、
前記インバータの動作を制御して前記放電灯の調光率を調節する制御部と、
を備え、
前記制御部は、
前記調光率を調節する際には、
前記インバータを、
前記共振回路の共振周波数と略一致する第１周波数で駆動する第１周波数期間と、
前記第１周波数よりも高い周波数で駆動する第２周波数期間と、
で交互に切り替えながら駆動し、
かつ、
前記第２周波数期間において、
前記インバータの駆動周波数を、
前記第１周波数よりも高い第２周波数と、
前記第２周波数から前記制御部の周波数分解能と同じ周波数だけ異なる第３周波数と、
で切り替えながら前記インバータを駆動し、
前記第２周波数期間において前記インバータを前記第２周波数と前記第３周波数で交互に所定回数駆動した後、
前記インバータの駆動周波数を前記第３周波数に切り替えることにより、
前記第２周波数期間における前記インバータの平均駆動周波数を前記第２周波数から前記第３周波数に向けて２段階で漸増させる
ことを特徴とする放電灯点灯装置。
【請求項５】
放電灯を点灯させる装置であって、
平滑コンデンサを有し交流電力を直流に変換する直流電源回路と、
前記直流電源回路の出力を交流に変換して交流電力を供給するインバータと、
前記インバータの出力端に接続された共振回路と、
前記インバータの動作を制御して前記放電灯の調光率を調節する制御部と、
を備え、
前記制御部は、
前記調光率を調節する際には、
前記インバータを、
前記共振回路の共振周波数と略一致する第１周波数で駆動する第１周波数期間と、
前記第１周波数よりも高い周波数で駆動する第２周波数期間と、
で交互に切り替えながら駆動し、
かつ、
前記第２周波数期間において、
前記インバータの駆動周波数を、
前記第１周波数よりも高い第２周波数と、
前記第２周波数から前記制御部の周波数分解能と同じ周波数だけ異なる第３周波数と、
で切り替えながら前記インバータを駆動し、
前記第２周波数期間に所定回数到達する毎に、前記第２周波数期間において前記インバータを前記第３周波数で駆動している期間の割合を２５％ずつ増加させることにより、
前記第２周波数期間における前記インバータの平均駆動周波数を前記第２周波数から前記第３周波数に向けて４段階で漸増させる
ことを特徴とする放電灯点灯装置。
【請求項６】
前記インバータに流れる電流を検出する電流検出手段と、
前記インバータが供給する電力を制御するフィードバック制御部と、
を備え、
前記フィードバック制御部は、
前記電流検出手段の検出結果に基づき、
前記第２周波数期間における前記インバータの駆動周波数を可変することにより、
前記インバータが供給する電力を前記放電灯の目標電力値に近づける
ことを特徴とする請求項１ないし請求項５のいずれかに記載の放電灯点灯装置。
【請求項７】
前記放電灯に流れる電流を検出する電流検出手段と、
前記インバータが供給する電力を制御するフィードバック制御部と、
を備え、
前記フィードバック制御部は、
前記電流検出手段の検出結果に基づき、
前記第２周波数期間における前記インバータの駆動周波数を可変することにより、
前記インバータが供給する電力を前記放電灯の目標電力値に近づける
ことを特徴とする請求項１ないし請求項５のいずれかに記載の放電灯点灯装置。
【請求項８】
前記平滑コンデンサのリップル電圧を検出する電圧検出手段を備え、
前記制御部は、
前記電圧検出手段が前記平滑コンデンサのリップル電圧を検出すると、
前記インバータの駆動を停止する
ことを特徴とする請求項１ないし請求項７のいずれかに記載の放電灯点灯装置。
【請求項９】
過電流を遮断する過電流遮断手段と、
前記平滑コンデンサのリップル電圧を検出する電圧検出手段と、
を備え、
前記制御部は、
前記電圧検出手段が前記平滑コンデンサのリップル電圧を検出すると、
前記インバータを短絡させて前記過電流遮断手段を稼動させ、
当該放電灯点灯装置の外部から供給される電力を遮断する
ことを特徴とする請求項１ないし請求項７のいずれかに記載の放電灯点灯装置。
【請求項１０】
前記平滑コンデンサのリップル電圧を検出する電圧検出手段を備え、
前記直流電源回路は、
前記制御部により駆動制御されるスイッチング素子を用いて直流電圧を昇圧する昇圧チョッパ回路を備え、
前記制御部は、
前記電圧検出手段が前記平滑コンデンサのリップル電圧を検出すると、
前記昇圧チョッパ回路が備える前記スイッチング素子の駆動を停止する
ことを特徴とする請求項１ないし請求項７のいずれかに記載の放電灯点灯装置。
【請求項１１】
過電流を遮断する過電流遮断手段と、
前記平滑コンデンサのリップル電圧を検出する電圧検出手段と、
を備え、
前記直流電源回路は、
前記制御部により駆動制御されるスイッチング素子を用いて直流電圧を昇圧する昇圧チョッパ回路を備え、
前記制御部は、
前記電圧検出手段が前記平滑コンデンサのリップル電圧を検出すると、
前記昇圧チョッパ回路を短絡させて前記過電流遮断手段を稼動させ、
当該放電灯点灯装置の外部から供給される電力を遮断する
ことを特徴とする請求項１ないし請求項７のいずれかに記載の放電灯点灯装置。
【請求項１２】
前記平滑コンデンサの温度を検出する温度検出手段を備え、
前記制御部は、
前記温度検出手段が所定温度以上を検出すると、
前記インバータの駆動を停止する
ことを特徴とする請求項１ないし請求項７のいずれかに記載の放電灯点灯装置。
【請求項１３】
過電流を遮断する過電流遮断手段と、
前記平滑コンデンサの温度を検出する温度検出手段と、
を備え、
前記制御部は、
前記温度検出手段が所定温度以上を検出すると、
前記インバータを短絡させて前記過電流遮断手段を稼動させ、
当該放電灯点灯装置の外部から供給される電力を遮断する
ことを特徴とする請求項１ないし請求項７のいずれかに記載の放電灯点灯装置。
【請求項１４】
前記平滑コンデンサの温度を検出する温度検出手段と、
前記直流電源回路は、
前記制御部により駆動制御されるスイッチング素子を用いて直流電圧を昇圧する昇圧チョッパ回路を備え、
前記制御部は、
前記温度検出手段が所定温度以上を検出すると、
前記昇圧チョッパ回路が備える前記スイッチング素子の駆動を停止する
ことを特徴とする請求項１ないし請求項７のいずれかに記載の放電灯点灯装置。
【請求項１５】
過電流を遮断する過電流遮断手段と、
前記平滑コンデンサの温度を検出する温度検出手段と、
を備え、
前記直流電源回路は、
前記制御部により駆動制御されるスイッチング素子を用いて直流電圧を昇圧する昇圧チョッパ回路を備え、
前記制御部は、
前記温度検出手段が所定温度以上を検出すると、
前記昇圧チョッパ回路を短絡させて前記過電流遮断手段を稼動させ、
当該放電灯点灯装置の外部から供給される電力を遮断する
ことを特徴とする請求項１ないし請求項７のいずれかに記載の放電灯点灯装置。
【請求項１６】
請求項１ないし請求項１５のいずれかに記載の放電灯点灯装置と、
前記放電灯点灯装置が点灯させる放電灯と、
を備えたことを特徴とする照明装置。
【発明の詳細な説明】
【技術分野】
【０００１】
本発明は、放電灯を点灯させる装置、およびその装置を用いて点灯させる放電灯を備えた照明装置に関するものであり、特に、調光点灯が可能なものに関する。
【背景技術】
【０００２】
調光点灯を可能にする放電灯点灯装置の構成は、商用交流電源を高周波電圧に変換するインバータ回路を用いて放電灯を高周波により点灯し、インバータ駆動周波数を調節することによりバラストコイルのインピーダンスを変え、放電灯に投入する電力を調整して調光するものが一般的である。
このような放電灯点灯装置においては、低光束時の調光点灯時は放電灯の点灯状態が不安定となり、ちらつきや立ち消えといった現象が発生することがある。
【０００３】
そこで従来、『低光束調光時のランプ電流の発振を抑えてクレストファクタの低減及びちらつきや立ち消えを防止するとともに安定したフィードバック制御が可能な放電灯点灯装置を提供する。』ことを目的とした技術として、『スイッチング素子Ｑ１，Ｑ２をスイッチング制御することで直流電源Ｖｄｃの直流電力を高周波電力に変換して放電灯ＦＬに供給する電力変換部１と、放電灯ＦＬの調光比に応じた基準値を電力変換部１の高周波出力と比較し該高周波出力を基準値に一致させる方向へスイッチング制御の制御量を調整するフィードバック部２とを備え、フィードバック部２は誤差増幅器３を具備している。誤差増幅器３を構成するオペアンプＯＰの入力抵抗Ｒ３に抵抗Ｒ１とコンデンサＣ１の直列回路を並列接続してある。』というものが提案されている（特許文献１）。
【０００４】
一方、周囲温度が低温時、例えば０℃においては、放電灯の特性は、常温時、例えば２５℃の時と異なり、調光点灯時の放電灯電圧が非常に高くなる特性がある。
このため、周囲温度が低温時においては、放電灯点灯装置から放電灯を安定点灯させる電圧が供給できず、安定した点灯が困難となり、急激にランプの光束が変化するジャンプ現象と呼ばれる現象が発生する。
【０００５】
この場合、従来のフィードバック制御による放電灯点灯装置では、フィードバック制御回路の応答速度の限界により、ジャンプ現象による急激な光束変化にフィードバック制御が追従できず、正常な点灯が困難になることがあった。
【０００６】
そこで従来、『光出力の連続的可変が容易に行なえる調光用放電ランプ点灯装置を提供する』ことを目的とした技術として、『調光制御部１１は高周波電源１０及びインピーダンスＺ１を制御して放電ランプ３を調光する。ランプ動作ポイント切り換え制御部１２は、上記調光信号Ｓ１或いはランプ電流検出信号Ｓ２を受け、低出力時に安定な動作ポイントでの動作期間と、急激に変化する動作ポイントでの動作期間を交互に繰り返して連続的に光出力制御を行なうような制御信号を調光制御部１１に与える。』というものが提案されている（特許文献２）。
【０００７】
また、『放電灯の光出力が低光束である領域での光量の安定性を向上させ、広範囲の調光を可能にする。』ことを目的とした技術として、『チョッパ回路ＣＰは直流電圧を出力し、インバータ回路ＩＮＶは直流電圧を高周波電圧に変換するとともに共振回路を通して放電灯Ｌａに高周波電力を供給する。チョッパ回路ＣＰの出力電圧およびインバータ回路ＩＮＶの動作周波数は、マイコンＭＰＵが外部からの調光信号ｄｉｍにより決定する電圧指令値および周波数指令値により決定される。マイコンＭＰＵは周波数指令値に呼応する第１指令値と第２指令値とを周期的に交互に生成し、第２指令値に呼応して放電灯Ｌａに印加される電圧波形はマイコンＭＰＵにより決定されるとともに第１指令値に呼応して放電灯Ｌａに印加される電圧以上に設定される。』というものが提案されている（特許文献３）。
【０００８】
また、特許文献３には、『前記指令値決定手段から出力されるデジタル信号である周波数指令信号をアナログ値の前記周波数指令値に変換するＤ／Ａ変換器と、Ｄ／Ａ変換器から出力される電圧信号である周波数指令値に比例する周波数でインバータ回路を動作させる電圧制御発振器とが設けられ、Ｄ／Ａ変換器がラダー抵抗を用いた構成である』ことも開示されている。
【０００９】
【特許文献１】特開２００５−７１８７４号公報（要約）
【特許文献２】特開平６−７６９７９号公報（要約）
【特許文献３】特開２００３−３４７０９６号公報（要約、請求項２）
【発明の開示】
【発明が解決しようとする課題】
【００１０】
上記特許文献２に記載の技術では、放電灯に周期的にパルス電圧を印加することで放電を安定化させ、ジャンプ現象を抑制している。また、パルス電圧を印加しない期間では、インバータ駆動周波数を上昇させて、放電灯の光束を絞る。
上述のようなパルス電圧を印加する方式では、パルス電圧印加時に放電灯への供給エネルギーが増加するため、パルス電圧を印加しない従来例と比較して、調光時はインバータ駆動周波数をより高くする必要がある。
【００１１】
インバータ駆動周波数の制御に関し、上記特許文献３に記載の技術では、制御回路にマイコンＭＰＵを用いて制御部構成の簡易化を図るとともに、Ｄ／Ａ変換器（ＤＡＣ）と電圧制御発振器（ＶＣＯ）を用いてインバータ駆動周波数を生成するアナログ制御を行っている。
この場合、アナログ制御によってインバータ周波数を滑らかに変化させることができるが、Ｄ／Ａ変換器（ＤＡＣ）と電圧制御発振器（ＶＣＯ）を設けているため、マイコンＭＰＵを用いて制御部構成の簡易化を図っているにも関わらず、最終的には制御部構成が複雑化してしまう。
【００１２】
上記特許文献３のようなＤ／Ａ変換器（ＤＡＣ）と電圧制御発振器（ＶＣＯ）を用いてインバータ駆動周波数を生成する手法に代えて、マイコン出力より直接インバータ駆動周波数を出力することを考える。
この場合、制御回路の大幅な簡略化が可能となる一方で、マイコンから直接インバータ駆動周波数を出力するため、マイコンで作成する周波数の周波数分解能が低いと、下記のような課題が生じる。
【００１３】
マイコン制御はデジタル制御であるため、周波数はステップ状（階段状）に変化する。
マイコンの周波数分解能が低いと、インバータ周波数を変えて放電灯を調光するとき、１ステップの周波数変化幅が大きくなるため、階段状に明るさが急変し、滑らかな連続調光を行うことができなくなってしまう。
これは、１ステップの周波数変化幅が大きいためランプへの投入電力が急激に変化してしまい、明るさが急変することによる。
【００１４】
本発明は、上記のような課題を解決するためになされたものであり、周囲温度が低下した場合でも、調光時のちらつき、立ち消え、ジャンプ現象を抑制でき、安定した調光点灯を達成し、かつ簡単な回路構成で滑らかな連続調光を行うことのできる放電灯装置を提供することを目的とする。
【課題を解決するための手段】
【００１５】
本発明に係る放電灯点灯装置は、放電灯を点灯させる装置であって、平滑コンデンサを有し交流電力を直流に変換する直流電源回路と、前記直流電源回路の出力を交流に変換して交流電力を供給するインバータと、前記インバータの出力端に接続された共振回路と、前記インバータの動作を制御して前記放電灯の調光率を調節する制御部と、を備え、前記制御部は、前記調光率を調節する際には、前記インバータを、前記共振回路の共振周波数と略一致する第１周波数で駆動する第１周波数期間と、前記第１周波数よりも高い周波数で駆動する第２周波数期間と、で交互に切り替えながら駆動し、かつ、前記第２周波数期間において、前記インバータの駆動周波数を、前記第１周波数よりも高い第２周波数と、前記第２周波数から前記制御部の周波数分解能と同じ周波数だけ異なる第３周波数と、で切り替えながら前記インバータを駆動し、前記第２周波数期間において前記インバータを前記第３周波数で駆動している期間を漸増させることにより、前記第２周波数期間における前記インバータの平均駆動周波数を前記第２周波数から前記第３周波数に向けて漸増させるものである。
【発明の効果】
【００１６】
本発明に係る放電灯点灯装置によれば、周囲温度が低下した場合でも、第１周波数でパルス電圧を印加することにより、調光時のちらつき、立ち消え、ジャンプ現象を抑制でき、安定した調光点灯を行うことができる。
また、インバータを第３周波数で駆動している期間を漸増させることにより、インバータの平均駆動周波数を第２周波数から第３周波数に向けて漸増させるので、制御部の周波数分解能よりも細かな周波数制御が可能となる。
これにより、マイコンのようなデジタル制御を行う制御手段を用いて回路構成を簡易化した上で、周波数を滑らかに可変させ、滑らかな連続調光を行うことができる。
【発明を実施するための最良の形態】
【００１７】
実施の形態１．
図１は、本発明の実施の形態１に係る放電灯点灯装置の構成図である。
図１において、放電灯点灯装置は、商用交流電源１より交流電力の供給を受けて放電灯８を点灯させる装置であり、整流回路２、昇圧チョッパ回路３、平滑コンデンサ４、インバータ回路５、ドライバ６、バラストコイル７、放電灯８（装着時）、共振コンデンサ９、直流カットコンデンサ１０、インバータ制御部１１、調光コントローラ１２を備えている。
【００１８】
整流回路２は、商用交流電源１から供給される交流電力を全波整流する。
昇圧チョッパ回路３は、スイッチング素子を備え、これを用いて、整流回路２で全波整流された直流電圧を昇圧する。
平滑コンデンサ４は、昇圧チョッパ回路３が出力する直流電圧を平滑化する。
インバータ回路５は、平滑コンデンサ４に並列接続され直流電圧を高周波に変換するスイッチング素子５ａ、５ｂを直列接続して備えたハーフブリッジ形のインバータである。
【００１９】
ドライバ６は、インバータ制御部１１の指示に基づき、スイッチング素子５ａ、５ｂを駆動する。
インバータ回路５の出力に接続されたバラストコイル７、放電灯８、および共振コンデンサ９は、負荷回路を形成する。また、バラストコイル７と共振コンデンサ９は、ＬＣ直列共振回路を形成する。
直流カットコンデンサ１０は、直流電流を通さないようにする役割を果たす。
【００２０】
インバータ制御部１１は、マイコンやＣＰＵ（Ｃｅｎｔｒａｌ  Ｐｒｏｃｅｓｓｉｎｇ  Ｕｎｉｔ）等の演算装置とその動作を規定するソフトウェアにより構成され、インバータ回路５の（各スイッチング素子の）駆動周波数を第１周波数と第２周波数で切り替えるよう制御する。
第１周波数は、バラストコイル７と共振コンデンサ９からなる共振回路の共振周波数近傍に設定され、第２周波数は、放電灯８への投入電力を調節するために設定される。これらの詳細は後述する。
調光コントローラ１２は、放電灯８の調光率を指示する調光信号を、インバータ制御部１１に出力する。インバータ制御部１１は、この調光信号に基づき、インバータ回路５を駆動制御する。
【００２１】
本実施の形態１における「直流電源回路」は、整流回路２、昇圧チョッパ回路３がこれに相当する。
また、「共振回路」は、バラストコイル７と共振コンデンサ９からなるＬＣ直列共振回路がこれに相当する。
また、「制御部」は、ドライバ６とインバータ制御部１１がこれに相当する。
【００２２】
以上、本実施の形態１に係る放電灯点灯装置の構成について説明した。
次に、本実施の形態１に係る放電灯点灯装置の動作について説明する。まず、動作制御に関する基本的な考え方を示し、その後に具体的な動作手順について説明する。
【００２３】
インバータ制御部１１は、調光コントローラ１２から調光信号により指示された調光率が１００％付近〜中域程度までの区間では、第２周波数を可変として放電灯８への投入電力を調節して調光を行う。
この区間では、調光率の可変制御のために第２周波数をさほど上昇させなくともよいため、第２周波数を可変させてもその上限値は一定以内に収まり、インバータ回路５のスイッチング損失や電磁妨害ノイズの影響はさほど高くない。
【００２４】
また、インバータ制御部１１は、調光コントローラ１２から調光信号により指示された調光率が下限値付近の区間では、第２周波数を固定として、インバータ回路５を第２周波数で駆動する期間（第２周波数の発振期間）を可変調整するのみで、放電灯８への投入電力を調節して調光を行う。
これにより、第２周波数の上昇を抑え、インバータ回路５のスイッチング損失に伴う回路効率の低下、電磁妨害ノイズの増加を抑制することを図る。
【００２５】
また、インバータ制御部１１は、第１周波数で放電灯８へパルス電圧を印加することにより、周囲温度が低下した場合でも、調光時のちらつき、立ち消え、ジャンプ現象を抑制し、安定した調光点灯を達成することを図る。
【００２６】
調光率の中域や低域の閾値は、放電灯８やインバータ回路５の特性等に応じて適宜定めておく。
【００２７】
以上、本実施の形態１に係る放電灯点灯装置の動作制御の基本的な考え方を示した。
次に、本実施の形態１に係る放電灯点灯装置の具体的な動作手順を説明する。
【００２８】
（１）商用交流電源１を投入
放電灯点灯装置に商用交流電源１を投入すると、整流回路２は商用交流電源１から供給される交流電力を整流し、得られた直流電圧は昇圧チョッパ回路３により昇圧され、さらに平滑コンデンサ４によって平滑化される。
平滑コンデンサ４によって平滑化された直流電源は、インバータ回路５のスイッチング素子５ａ、５ｂが交互にオン・オフすることによって高周波電圧に変換される。
スイッチング素子５ａ、５ｂのオン・オフ制御は、インバータ制御部１１が行う。
【００２９】
（２）フィラメント予熱モード
商用交流電源１の投入後、放電灯８を点灯させる前に、インバータ制御部１１は、放電灯８が備えるフィラメント８ａ、８ｂを先行して予熱する予熱モードで動作する状態となる。
ここでいう予熱とは、放電灯８が放電を開始する以前の状態で、フィラメント８ａ、８ｂの温度を、放電開始に適した温度まで上昇させておくことをいう。
インバータ制御部１１は、放電灯８への印加電圧が放電開始電圧以下となるように、十分高いインバータ駆動周波数でインバータ回路５を動作させ、バラストコイル７、フィラメント８ａ、共振コンデンサ９、フィラメント８ｂの順でフィラメントに電流を流し、フィラメントを予熱する。
【００３０】
（３）始動モード〜点灯モード
予熱モードを開始してから十分な時間が経過する等により、フィラメント８ａ、８ｂの予熱が完了すると、インバータ制御部１１は、放電灯８を点灯させるためにインバータ回路５を始動モードで制御する。
始動モードとは、インバータ回路５の駆動周波数を、バラストコイル７と共振コンデンサ９からなるＬＣ共振回路の共振周波数に近づけるモードである。
インバータ回路５の駆動周波数が上述のＬＣ共振回路の共振周波数に近づくと、放電灯８に高電圧が印加されるため、放電灯８は放電を開始して放電灯８が点灯し、点灯モードとなる。
【００３１】
図２は、点灯モードにおける各調光率のランプ電圧波形を示すものである。
図２（ａ）は、調光率（定格点灯時の照度を１００％とした場合の照度比）１００％付近のほぼ全光時の電圧波形である。
調光率１００％付近では、放電灯８の放電は安定しているため、ジャンプ現象等の心配はあまりなく、したがって第１周波数によるパルス電圧は印加しない。
【００３２】
図２（ｂ）は、調光率が中域付近の電圧波形である。
図２（ａ）の状態の下で、調光コントローラ１２より、放電灯の電力を絞って光束を下げるべき旨の調光信号が出力されると、インバータ制御部１１は、インバータ回路５の駆動周波数を、先に説明した第１周波数と第２周波数で交互に切り替える。
インバータ回路５を第１周波数で駆動している期間を「第１周波数期間」、第２周波数で駆動している期間を「第２周波数期間」と呼ぶ。
第１周波数により放電灯８へ周期的にパルス状電圧を印加し、もって低温時のジャンプ現象、立ち消えを抑制する。
【００３３】
なお、インバータ制御部１１は、図２（ｂ）の状態の下では、第１周波数とそのパルス電圧印加期間Ｔ１を固定とし、第２周波数のみを可変としてランプへの投入電力を調節して調光を行う。
すなわち、第１周波数は共振周波数付近として設定することで放電灯８にパルス電圧を印加し、第２周波数を高くすることによってバラストコイル７のインピーダンスを増加させて放電灯８への投入電力を絞る。
【００３４】
図２（ｃ）は、調光率が下限値付近の電圧波形である。
インバータ制御部１１は、調光率が下限値付近においては、第１周波数とパルス電圧印加期間Ｔ１、および第２周波数を固定とし、第２周波数の発振期間Ｔ２の可変調整のみでランプ電力を調節して調光を行う。
すなわち、パルス電圧印加時は放電灯８への投入エネルギーが増加するが、放電灯８への投入エネルギーが小さい第２周波数の発振期間Ｔ２を長くすることにより、放電灯８への平均投入電力を小さくできる。
これにより、第２周波数を高くすることなく調光が可能となる。
【００３５】
また、インバータ制御部１１は、第１周波数によるパルス電圧印加期間Ｔ１を固定とすることにより、確実に放電灯８にパルス電圧を印加できる。
【００３６】
図２（ｃ）の状態の下では、以上のような電圧波形の制御を行うことにより、第２周波数の上昇を抑え、インバータ回路５のスイッチング損失に伴う回路効率の低下、電磁妨害ノイズの増加を抑制することができる。
また、第１周波数による放電灯８へのパルス状電圧印加期間Ｔ１は固定とし、第２周波数印加期間Ｔ２のみ可変としているため、確実に放電灯８へパルス状電圧が印加でき、周囲温度が低下した場合でも、調光時のちらつき、立ち消え、ジャンプ現象を抑制でき、安定した調光点灯を達成することができる。
【００３７】
図３は、調光率、第２周波数、第２周波数の発振期間Ｔ２の関係を示すものである。
調光率が下限値付近の低域では、第２周波数を固定し、第２周波数の発振期間Ｔ２を長くすることで、調光率を下げるような制御がなされていることが分かる。
また、調光率が中域の区間では、第２周波数の発振期間Ｔ２を固定し、第２周波数を上げることで、光束を絞って調光率を調節していることが分かる。
もちろん、第２周波数と、第２周波数の発振期間Ｔ２を同時に可変する期間があってもよいことはいうまでもない。
【００３８】
図４は、本実施の形態１において第２周波数を可変する手順を説明する図である。ここでは、第２周波数を上げることにより調光率を下げる際の動作を説明する。
図２（ｂ）および図３で説明したように、インバータ制御部１１は、ランプ電力を絞って調光率を下げる場合、第２周波数期間におけるインバータ周波数（第２周波数）を、周波数ｆ２より高い周波数ｆ３へ可変してランプ電力を下げる。
【００３９】
なお、インバータ制御部１１が周波数ｆ２からｆ３へ駆動周波数を変更する際の１ステップ分の変更幅は、インバータ制御部１１の周波数分解能に等しいことを付言しておく。
【００４０】
このとき、インバータ制御部１１の周波数分解能が小さく、１ステップ当たりの周波数変化幅が大きいと、バラストコイル７のインピーダンス変化が大きくなり、急激に明るさが変化するため、階段状に明るさが変化して滑らかな連続調光を行うことができない。
そこで、本実施の形態１では、第２周波数期間において周波数ｆ３でインバータ回路５を駆動する区間を漸増させることにより、インバータ回路５の平均駆動周波数をｆ２からｆ３へ向けて徐々に変化させる。
以下、本実施の形態１において第２周波数を可変する手順を、従来の手順と比較しながら説明する。
【００４１】
図４（ａ）は、従来の周波数可変手順を示すものである。
従来は、第２周波数をｆ２から１ステップ分高いｆ３へ変化させる際には、１ステップ分の周波数可変を即座に実行するため、周波数ｆ２からｆ３へ向けた変化が急峻になり、ユーザの目にチラつきとして感じられていた。
【００４２】
図４（ｂ）は、本実施の形態１における周波数可変手順を示すものである。
本実施の形態１では、第２周波数でインバータ回路５を駆動する期間を、区間１と区間２の２つに等分割する。そして、周波数ｆ３でインバータ回路５を駆動する期間を、時間経過にともなって徐々に増加させる。
図４（ｂ）のステップ（１）〜（３）について、以下に説明する。
【００４３】
（１）初期状態では、第２周波数期間におけるインバータ回路５の駆動周波数はｆ２である。
（２）インバータ制御部１１は、区間２におけるインバータ回路５の駆動周波数をｆ３に変更する。
（３）インバータ制御部１１は、区間１におけるインバータ回路５の駆動周波数をｆ３に変更する。
【００４４】
ステップ（１）〜（３）を経ると、第２周波数期間の２周期を経る毎に、周波数ｆ３でインバータ回路５を駆動する期間の割合が５０％ずつ増加して、第２周波数がｆ２からｆ３に向けて段階的に変化する。
即ち、ステップ（１）における第２周波数はｆ２、ステップ（２）における第２周波数の平均値は（ｆ２＋ｆ３）／２、ステップ（３）における第２周波数はｆ３となるので、１周期平均の周波数分解能は図４（ａ）の２倍（２段階可変）となり、より滑らかな連続調光が可能となる。
【００４５】
なお、上述のステップ（１）〜（３）では、第２周波数期間の２周期毎に周波数ｆ３の区間の割合を５０％ずつ増加させるように記載したが、例えばステップ（２）の状態を所定回数継続してもよい。この場合は、周波数ｆ２からｆ３へ向けた変化が、より緩やかになる。
【００４６】
また、図４では、第２周波数期間を前半（区間１）と後半（区間２）の２つに分割し、ステップ（２）で区間２の周波数をｆ３とし、ステップ（３）で区間１の周波数をｆ３として、周波数ｆ３の区間の割合を５０％ずつ増加させた。
第２周波数期間の分割は、このような前半と後半に分割するものに限られるものではなく、周波数ｆ３の区間の割合を５０％ずつ増加させるものであれば、その他の分割手法を用いてもよい。
【００４７】
第１周波数と第２周波数を交互に切り換える繰り返し周期（周波数）は、１００Ｈｚ以上にするとよい。これは、人間の目にちらつきとして知覚されない周波数は一般的に１００Ｈｚ以上とされていることによる。
即ち、例えば第２周波数期間内でインバータ回路５の駆動周波数をｆ２からｆ３に切り換えても、繰り返し周期（周波数）を１００Ｈｚ以上とすることにより、人間の目にはちらつきとして認識されなくなるからである。
その他の実施の形態についても、同様の原理が適用される。
【００４８】
以上のように、本実施の形態１に係る放電灯点灯装置では、インバータ制御部１１は、調光率が中域程度付近では、第１周波数を固定し第２周波数のみを可変として放電灯８への投入電力を調節して調光を行い、調光率が下限付近においては、第１周波数および第２周波数を固定として、第２周波数の発振期間Ｔ２の可変調整のみでランプ電力を調節して調光を行うことにより、第２周波数の上昇を抑えることができる。
【００４９】
したがって、本実施の形態１に係る放電灯点灯装置は、簡単な回路構成でインバータ回路５のスイッチング損失に伴う回路効率の低下、電磁妨害ノイズの増加を抑制でき、周囲温度が低下した場合でも、調光時のちらつき、立ち消え、ジャンプ現象を抑制でき、安定した調光点灯を達成するものである。
【００５０】
また、本実施の形態１に係る放電灯点灯装置では、インバータ回路５の駆動周波数を、周波数ｆ２から１ステップ分高いｆ３へ向けて可変する際に、第２周波数期間において周波数ｆ３でインバータ回路５を駆動する期間の割合を５０％ずつ増加させる。
これにより、インバータ回路５の平均駆動周波数を、ｆ２からｆ３へ向けて２段階で段階的に増加させることができるので、同一のインバータ制御部１１を用いた従来の周波数可変手法と比較して、周波数分解能を２倍にすることができ、滑らかな連続調光制御が可能となる。
【００５１】
実施の形態２．
本発明の実施の形態２では、第２周波数を可変する際の、実施の形態１とは異なる手順を説明する。その他の回路構成等は、実施の形態１と同様であるため、説明を省略する。
【００５２】
図５は、本実施の形態２において第２周波数を可変する手順を説明する図である。図５のステップ（１）〜（４）について、以下に説明する。
【００５３】
（１）初期状態では、第２周波数期間におけるインバータ回路５の駆動周波数はｆ２である。
（２）インバータ制御部１１は、第２周波数期間のうち所定割合の区間におけるインバータ回路５の駆動周波数をｆ３に変更する。
【００５４】
（３）インバータ制御部１１は、第２周波数期間のうちインバータ回路５を周波数ｆ３で駆動する区間の割合を、ステップ（２）よりも増加させる。
（４）インバータ制御部１１は、ステップ（２）〜（３）と同様に周波数ｆ３の区間の割合を徐々に増加させ、最終的に第２周波数期間の全てにおいて、インバータ回路５を周波数ｆ３で駆動する。
【００５５】
ステップ（１）〜（４）を経ると、第２周波数期間において周波数ｆ３でインバータ回路５を駆動する期間の割合が徐々に増加して、第２周波数がｆ２からｆ３に向けて段階的に変化する。
ｆ２からｆ３に向けて何段階で変化するかは、ステップ（１）と（４）の間に何個のステップを設けるかによる。図５の例では、ｆ２からｆ３に向けて３段階で周波数が可変するが、この段数は任意に設定すればよい。
【００５６】
以上のように、本実施の形態２に係る放電灯点灯装置では、インバータ回路５の駆動周波数を、周波数ｆ２から１ステップ分高いｆ３へ向けて可変する際に、第２周波数期間において周波数ｆ３でインバータ回路５を駆動する期間の割合を徐々に増加させる。
これにより、インバータ回路５の平均駆動周波数を、ｆ２からｆ３へ向けて段階的に増加させることができるので、実施の形態１と同様の効果を発揮する。
【００５７】
実施の形態３．
本発明の実施の形態３では、第２周波数を可変する際の、実施の形態１〜２とは異なる手順を説明する。その他の回路構成等は、実施の形態１と同様であるため、説明を省略する。
【００５８】
図６は、本実施の形態３において第２周波数を可変する手順を説明する図である。図６のステップ（１）〜（３）について、以下に説明する。
【００５９】
（１）初期状態では、第２周波数でインバータ回路５を駆動する期間では、インバータ回路５の駆動周波数はｆ２である。
（２）インバータ制御部１１は、第２周波数期間の１周期置き（２周期毎）に、インバータ回路５を周波数ｆ３で駆動する。
（３）インバータ制御部１１は、第２周波数期間全てにおいて、インバータ回路５を周波数ｆ３で駆動する。
【００６０】
ステップ（１）〜（３）を経ると、第２周波数期間の２周期を経る毎に、周波数ｆ３でインバータ回路５を駆動する期間の割合が５０％ずつ増加して、第２周波数がｆ２からｆ３に向けて段階的に変化する。
即ち、ステップ（１）における第２周波数はｆ２、ステップ（２）における第２周波数の平均値は（ｆ２＋ｆ３）／２、ステップ（３）における第２周波数はｆ３となるので、１周期平均の周波数分解能は図４（ａ）の２倍（２段階可変）となり、より滑らかな連続調光が可能となる。
【００６１】
なお、実施の形態１の図４（ｂ）と同様に、ステップ（２）の状態を所定回数継続してもよい。この場合は、周波数ｆ２からｆ３へ向けた変化が、より緩やかになる。
【００６２】
以上のように、本実施の形態３に係る放電灯点灯装置では、インバータ回路５の駆動周波数を、周波数ｆ２から１ステップ分高いｆ３へ向けて可変する際に、第２周波数期間において周波数ｆ３でインバータ回路５を駆動する期間の割合を第２周波数期間の２周期毎に５０％ずつ増加させる。
これにより、インバータ回路５の平均駆動周波数を、ｆ２からｆ３へ向けて２段階で増加させることができるので、実施の形態１と同様の効果を発揮する。
【００６３】
実施の形態４．
本発明の実施の形態４では、第２周波数を可変する際の、実施の形態１〜３とは異なる手順を説明する。その他の回路構成等は、実施の形態１と同様であるため、説明を省略する。
【００６４】
図７は、本実施の形態４において第２周波数を可変する手順を説明する図である。
本実施の形態４では、第２周波数でインバータ回路５を駆動する期間のうち２周期に相当する期間を、区間１〜区間４の４つに等分割する。そして、周波数ｆ３でインバータ回路５を駆動する期間を、時間経過にともなって徐々に増加させる。
図７のステップ（１）〜（５）について、以下に説明する。
【００６５】
（１）初期状態では、第２周波数でインバータ回路５を駆動する期間では、インバータ回路５の駆動周波数はｆ２である。
（２）インバータ制御部１１は、区間１におけるインバータ回路５の駆動周波数をｆ３に変更する。
（３）インバータ制御部１１は、区間２におけるインバータ回路５の駆動周波数をｆ３に変更する。
（４）インバータ制御部１１は、区間３におけるインバータ回路５の駆動周波数をｆ３に変更する。
（５）インバータ制御部１１は、区間４におけるインバータ回路５の駆動周波数をｆ３に変更する。
【００６６】
ステップ（１）〜（５）を経ると、第２周波数期間の２周期を経る毎に、周波数ｆ３でインバータ回路５を駆動する期間の割合が２５％ずつ増加して、第２周波数がｆ２からｆ３に向けて段階的に変化する。
即ち、ステップ（１）における第２周波数はｆ２、ステップ（２）における第２周波数の平均値は（３×ｆ２＋ｆ３）／４、ステップ（３）における第２周波数は（ｆ２＋ｆ３）／２、ステップ（４）における第２周波数の平均値は（ｆ２＋３×ｆ３）／４、ステップ（５）における第２周波数はｆ３となるので、１周期平均の周波数分解能は図４（ａ）の４倍（４段階可変）となり、より滑らかな連続調光が可能となる。
【００６７】
なお、実施の形態１の図４（ｂ）と同様に、ステップ（２）〜（４）の各状態については、所定回数継続してもよい。この場合は、周波数ｆ２からｆ３へ向けた変化が、より緩やかになる。
【００６８】
本実施の形態４では、第１周波数と第２周波数を交互に切り換える繰り返し周期（周波数）は、２００Ｈｚ以上にするとよい。これは、人間の目にちらつきとして知覚されない周波数は一般的に１００Ｈｚ以上とされていることによる。
即ち、本実施の形態４では、第２周波数期間の２周期分で一つの繰り返し周期となるため、第１周波数期間と第２周波数期間の繰り返し周期（周波数）を２００Ｈｚ以上とすることで人間の目にちらつきとして認識されなくなるからである。
【００６９】
以上のように、本実施の形態４に係る放電灯点灯装置では、インバータ回路５の駆動周波数を、周波数ｆ２から１ステップ分高いｆ３へ向けて可変する際に、第２周波数期間において周波数ｆ３でインバータ回路５を駆動する期間の割合を、第２周波数期間の２周期毎に２５％ずつ増加させる。
これにより、インバータ回路５の平均駆動周波数を、ｆ２からｆ３へ向けて４段階で増加させることができるので、実施の形態１と同様の効果を発揮する。
【００７０】
実施の形態５．
図８は、本発明の実施の形態５に係る放電灯点灯装置の構成図である。
本実施の形態５に係る放電灯点灯装置の構成と、実施の形態１の図１で説明した構成との相違点は、ローサイドのスイッチング素子５ｂと直列に検出抵抗１３が接続される点である。
検出抵抗１３は、インバータ回路５の電流を検出し、等価的に放電灯８に投入された電力を検出できる。検出された信号は、フィルタ回路１４を介して平滑化され、インバータ制御部１１に入力される。
インバータ制御部１１は、検出された検出信号値に基づき求めた放電灯８への供給電力と、目標ランプ電力値とを比較し、放電灯８への供給電力を目標ランプ電力値に近づけるようにインバータ回路５を制御するフィードバック制御手段（図示せず）を備えている。
なお、ここでいう目標ランプ電力値は、調光率との対応関係により定まる、放電灯８へ供給すべき電力値のことである。
【００７１】
フィードバック制御手段は、インバータ制御回路１１の一部として、インバータ制御部１１と同様にマイコンやＣＰＵ等の演算装置等により構成される。
【００７２】
以上、本実施の形態５に係る放電灯点灯装置の構成について説明した。
次に、本実施の形態５に係る放電灯点灯装置の動作制御の基本的な考え方を示す。
【００７３】
本実施の形態５に係る放電灯点灯装置において、インバータ制御回路１１は、実施の形態１と同様に、放電灯８にパルス電圧を印加する第１周波数と、放電灯８へ投入する電力を調節するための第２周波数とを交互に切り換える。
さらに、フィードバック制御手段は、検出抵抗１３を介して放電灯８への投入電力を検出ないし算出し、調光信号により決定される目標ランプ電力値と、実際に放電灯８へ投入されている電力とを比較演算し、両者が一致するように第２周波数または第２周波数の発振期間Ｔ２の少なくとも一方を可変調整する。
これにより、放電灯の特性ばらつき、周囲温度の変動に対応して、略一定の電力を放電灯８に投入することを図る。
【００７４】
以上、本実施の形態５に係る放電灯点灯装置の動作制御の基本的な考え方を示した。
次に、本実施の形態５に係る放電灯点灯装置の具体的な動作手順を説明する。
【００７５】
（１）商用交流電源１を投入〜（３）始動モード〜点灯モード
商用交流電源１を投入してから、放電灯８が点灯を開始する点灯モードに至るまでは、実施の形態１で説明した動作と同様であるため、説明を省略する。
【００７６】
（４）投入電力の制御
放電灯８が点灯すると、検出抵抗１３はインバータ回路５に流れる電流を検出し、その検出信号がフィルタ回路１４により平滑化されてインバータ制御部１１に入力される。
フィードバック制御手段は、入力された電流検出信号に基づき放電灯８への投入電力を算出し、算出結果と目標ランプ電力値とを比較し、両者が一致するようにインバータ回路５を制御する。
【００７７】
上記ステップ（４）における放電灯８への投入電力の制御について、以下に詳述する。
【００７８】
（４．１）調光率が中域付近の場合
フィードバック制御手段は、調光率が中域程度付近では、第１周波数は固定として第２周波数のみをインバータ制御部１１により制御して、検出抵抗１３の検出値に基づき求めた放電灯８への投入電力と、目標ランプ電力値とが一致するように、放電灯８への投入電力を調節して調光を行う。
【００７９】
（４．２）調光率が下限値付近の場合
フィードバック制御手段は、調光率が下限値付近では、第１周波数および第２周波数を固定として、第２周波数の発振期間Ｔ２のみをインバータ制御部１１により制御して、検出抵抗１３の検出値に基づき求めた放電灯８への投入電力と、目標ランプ電力値とが一致するように、放電灯８への投入電力を調節して調光を行う。
【００８０】
以上のような電圧波形の制御を行うことにより、調光率が下限値付近においては、第２周波数の印加期間Ｔ２のみで放電灯８への投入電力を調整するため、第２周波数の上昇を抑えることができる。
もちろん、第２周波数と、第２周波数の発振期間Ｔ２を同時に可変する期間があってもよいことはいうまでもない。
【００８１】
本実施の形態５においては、インバータ回路５の電流を検出し、これをもって等価的に放電灯８に投入された電力を検出することとしたが、放電灯８への投入電力を検出する手段はこれに限られるものではなく、放電灯８に流れる電流を直接検出する手段（図示せず）を設け、これを用いて放電灯８への投入電力を得るように構成してもよい。
【００８２】
以上のように、本実施の形態５に係る放電灯点灯装置では、実施の形態１と同様に、インバータ制御部１１は、放電灯８にパルス電圧を印加する第１周波数と、放電灯８に投入する電力を調節する第２周波数とを交互に切り換える。
また、フィードバック制御手段は、検出抵抗１３を介して放電灯８への投入電力を検出し、調光信号により決定される目標ランプ電力値と、実際に放電灯８へ投入されている電力とを比較演算し、両者が一致するように第２周波数または第２周波数の印加期間Ｔ２を可変として、放電灯８への投入電力を調節する。
これにより、放電灯８の特性ばらつき、周囲温度の変化に対応して、略一定の電力を放電灯８へ投入することができる。
【００８３】
また、フィードバック制御手段は、調光率が下限値付近においては、第１周波数および第２周波数を固定として、第２周波数の発振期間Ｔ２のみをインバータ制御部１１で制御して放電灯８への投入電力を調節し調光を行う。
これにより、インバータ回路５の駆動周波数の上昇を抑え、スイッチング損失の増加に伴う回路効率の低下、電磁妨害ノイズの増加を抑制でき、安定した調光点灯を達成するものである。
【００８４】
実施の形態６．
図９は、本発明の実施の形態６に係る放電灯点灯装置の構成図である。
本実施の形態６に係る放電灯点灯装置は、実施の形態１の図１で説明した構成に加え、新たに平滑コンデンサ４と並列に分圧抵抗１５を備えている。また、商用交流電源１と整流回路２の間に過電流保護用のヒューズ１６を接続している。
なお、実施の形態５で説明した構成に加えて分圧抵抗１５とヒューズ１６を設けてもよい。
【００８５】
インバータ制御部１１は、分圧抵抗１５を用いて平滑コンデンサ４に印加される電圧を検出する。
ヒューズ１６は、過電流が流れると溶融し、放電灯点灯装置にそれ以上電力が供給されないようにする、過電流遮断手段としての機能を備える。
その他の構成と動作は実施形態１〜５で説明したいずれかの放電灯点灯装置と同様であるため、以下では相違点を中心に説明する。
【００８６】
一般的に、放電灯点灯装置の寿命は平滑コンデンサ４の寿命で決まる。
これは、平滑コンデンサ４が寿命により劣化すると、静電容量が減少し、内部抵抗が増大して、平滑コンデンサ４に印加される電圧のリップル電圧ΔＶが大きくなり、平滑コンデンサ４の温度が上昇し、発煙・発火等の恐れがでてくることによる。
そこで、本実施の形態６では、平滑コンデンサ４のリップル電圧ΔＶを検出することにより、このような事態を未然に防ぐことを図る。
【００８７】
インバータ制御部１１は、分圧抵抗１５を用いて平滑コンデンサ４に印加される電圧を検出する。リップル電圧ΔＶが所定閾値以上になったことを検出すると、昇圧チョッパ回路３が備えるスイッチング素子や、インバータ回路５が備えるスイッチング素子５ａ〜５ｂの駆動を停止して発振を停止させる。
これにより、昇圧チョッパ回路３やインバータ回路５の昇圧機能を停止し、平滑コンデンサ４の温度上昇、発煙・発火の恐れを回避することができる。
【００８８】
また、昇圧チョッパ回路３とインバータ回路５の発振を停止しても、商用交流電源１が供給する交流電力そのものは、整流回路２を介して平滑コンデンサ４に印加される。
そこで、インバータ制御部１１は、昇圧チョッパ回路３のスイッチング素子を常時オンにし、またはインバータ回路５が備えるスイッチング素子５ａ〜５ｂを同時オンすることにより、商用交流電源１を短絡し、ヒューズ１６を溶断する。
これにより、放電灯点灯装置を完全に商用交流電源１から切り離し、平滑コンデンサ４の温度上昇、発煙・発火の恐れを回避することができる。
【００８９】
また、平滑コンデンサ４のリップル電圧ΔＶを検出することに代えて、平滑コンデンサ４の表面温度をサーミスタ等（図示しない）で直接検知してもよい。
この場合、インバータ制御部１１は、平滑コンデンサ４の温度が所定温度以上になった時、上記と同様に昇圧チョッパ回路３のスイッチング素子、スイッチング素子５ａ〜５ｂの発振を停止し、必要に応じ、昇圧チョッパ回路３のスイッチング素子を常時オンにし、またはインバータ回路５が備えるスイッチング素子５ａ〜５ｂを同時オンする。
これにより、昇圧チョッパ回路３やインバータ回路５の昇圧機能を停止し、あるいは放電灯点灯装置を完全に商用交流電源１から切り離し、平滑コンデンサ４の温度上昇、発煙・発火の恐れを回避することができる。
【００９０】
実施の形態７．
図１０は、本発明の実施の形態７に係る照明装置の側断面図である。
照明装置本体１８の内部には、実施の形態１〜６のいずれかで説明した放電灯点灯装置２０が収納され、放電灯１９は照明装置本体１８の外部のランプソケット２１に装着され、配線２２により放電灯点灯装置２０に接続され、照明装置を形成する。
【００９１】
本実施の形態７に係る照明装置によれば、インバータ回路５のスイッチング損失に伴う回路効率の低下、電磁妨害ノイズの増加を抑制でき、周囲温度が低下した場合でも、調光時のちらつき、立ち消え、ジャンプ現象を抑制でき、安定した調光点灯を達成する。
【図面の簡単な説明】
【００９２】
【図１】実施の形態１に係る放電灯点灯装置の構成図である。
【図２】点灯モードにおける各調光率のランプ電圧波形を示すものである。
【図３】調光率、第２周波数、第２周波数の発振期間Ｔ２の関係を示すものである。
【図４】実施の形態１において第２周波数を可変する手順を説明する図である。
【図５】実施の形態２において第２周波数を可変する手順を説明する図である。
【図６】実施の形態３において第２周波数を可変する手順を説明する図である。
【図７】実施の形態４において第２周波数を可変する手順を説明する図である。
【図８】実施の形態５に係る放電灯点灯装置の構成図である。
【図９】実施の形態６に係る放電灯点灯装置の構成図である。
【図１０】実施の形態７に係る照明装置の側断面図である。
【符号の説明】
【００９３】
１  商用交流電源、２  整流回路、３  昇圧チョッパ回路、４  平滑コンデンサ、５  インバータ回路、６  ドライバ、７  バラストコイル、８  放電灯、８ａ〜８ｂ  フィラメント、９  共振コンデンサ、１０  直流カットコンデンサ、１１  インバータ制御部、１２  調光コントローラ、１３  検出抵抗、１４  フィルタ回路、１５  分圧抵抗、１６  ヒューズ、１８  照明装置本体、１９  放電灯、２０  放電灯点灯装置、２１  ランプソケット、２２  配線。
【図１】
0004753963.tif 000002
【図２】
0004753963.tif 000003
【図３】
0004753963.tif 000004
【図４】
0004753963.tif 000005
【図５】
0004753963.tif 000006
【図６】
0004753963.tif 000007
【図７】
0004753963.tif 000008
【図８】
0004753963.tif 000009
【図９】
0004753963.tif 000010
【図１０】
0004753963.tif 000011